(57)【要約】【課題】使用時に装置本体に手が触れる不快感を無くすとともに、使用者に圧迫感を与えることない手乾燥装置を提供すること。【解決手段】凹状に形成された乾燥室１０と、乾燥室１０に向けて温風を噴出するノズル部６０と、ノズル部６０から噴出する空気を送出するファンモータ５１とを備えた手乾燥装置であって、ファンモータ５１を乾燥室１０の下方に設け、乾燥室１０の開口部１２より上方にノズル部６０を配置し、ノズル部６０を形成するノズルカバー２０を開口部１２より小さく形成し、鉛直方向から見たときに開口部１２の全面がノズルカバー２０によって覆われないことを特徴とする手乾燥装置。【選択図】        図１
2006095246.tif 000002
【特許請求の範囲】
【請求項１】
凹状に形成された乾燥室と、前記乾燥室に向けて温風を噴出するノズル部と、前記ノズル部から噴出する空気を送出するファンモータとを備えた手乾燥装置であって、前記ファンモータを前記乾燥室の下方に設け、前記乾燥室の開口部より上方に前記ノズル部を配置し、前記ノズル部を形成するノズルカバーを前記開口部より小さく形成し、鉛直方向から見たときに前記開口部の全面が前記ノズルカバーによって覆われないことを特徴とする手乾燥装置。
【請求項２】
前記ファンモータから前記ノズル部に空気を導く通風路を前記乾燥室の背面に設け、前記ノズルカバーを前記乾燥室の背面側から前面側に延出させて設けたことを特徴とする請求項１に記載の手乾燥装置。
【請求項３】
前記ファンモータの下方にＨＥＰＡフィルターを設け、前記ＨＥＰＡフィルターの下部に空気導入通路を形成したことを特徴とする請求項１に記載の手乾燥装置。
【請求項４】
前記ノズル部を複数の長孔によって構成し、少なくとも一つの前記長孔の方向を、他の前記長孔の方向と異ならせたことを特徴とする請求項１に記載の手乾燥装置。
【請求項５】
前記ノズル部を複数の長孔によって構成し、前記ノズル部の吸入側に整流板を設けたことを特徴とする請求項１に記載の手乾燥装置。
【請求項６】
前記ノズル部を複数の長孔によって構成し、一部の前記長孔の吹き出し方向を他の前記長孔の吹き出し方向と異ならせたことを特徴とする請求項１に記載の手乾燥装置。
【請求項７】
前記ノズル部を第１のノズル部と第２のノズル部によって構成し、前記第１のノズル部を前記第２のノズル部よりも前面側に配置し、前記第１のノズル部を構成する長孔を、手挿入方向に対して垂直な方向に形成したことを特徴とする請求項１に記載の手乾燥装置。
【請求項８】
前記ノズル部を第１のノズル部と第２のノズル部によって構成し、前記第１のノズル部を前記第２のノズル部よりも前面側に配置し、前記第２のノズル部を構成する長孔を、手挿入方向に対して平行な方向に形成したことを特徴とする請求項１に記載の手乾燥装置。
【請求項９】
前記ノズル部を第１のノズル部と第２のノズル部によって構成し、前記第１のノズル部を前記第２のノズル部よりも前面側に配置し、前記第２のノズル部を構成する長孔を、当該長孔の前面側端部よりも当該長孔の後方側端部を前記ノズルカバーの中心側に配置して形成したことを特徴とする請求項１に記載の手乾燥装置。
【請求項１０】
前記ノズル部を第１のノズル部と第２のノズル部によって構成し、前記第１のノズル部を前記第２のノズル部よりも前面側に配置し、前記第２のノズル部の突出長さを、前記第１のノズル部の突出長さよりも大きくしたことを特徴とする請求項１に記載の手乾燥装置。
【請求項１１】
前記第２ノズル部の奥側に、第３のノズル部を設けたことを特徴とする請求項７から請求項１０のいずれかに記載の手乾燥装置。
【請求項１２】
前記ノズルカバーの上面を平坦面としたことを特徴とする請求項１に記載の手乾燥装置。
【請求項１３】
前記ノズルカバーの下面に突出面を形成し、前記突出面を前記ノズルカバー外周よりも内方に形成したことを特徴とする請求項１に記載の手乾燥装置。
【請求項１４】
前記突出面と前記ノズルカバー外周との間に傾斜面を形成したことを特徴とする請求項１３に記載の手乾燥装置。
【請求項１５】
前記ノズルカバーの上面の前面側位置にインジケータを設けたことを特徴とする請求項１に記載の手乾燥装置。
【請求項１６】
前記ノズルカバー内の前端部にＬＥＤ基盤を設け、光軸を前記ノズルカバーの後方側に向けたＬＥＤを前記ＬＥＤ基盤に設け、前記ＬＥＤに対向してプリズムを設け、前記インジケータを前記プリズムの上部に配置したことを特徴とする請求項１５に記載の手乾燥装置。
【請求項１７】
前記ファンモータを背面側本体ケースに設け、前記ファンモータの前面側を前面側本体ケースで覆い、前記ファンモータの上方であって、前記背面側本体ケースと前記前面側本体ケースとによって形成される上部開口を前記乾燥室にて覆い、前記乾燥室を一体成形によって構成したことを特徴とする請求項１に記載の手乾燥装置。
【請求項１８】
前記乾燥室の下面を、前方側を後方側よりも低くなるように形成し、水抜き孔を前記乾燥室下面の前方側に設けたことを特徴とする請求項１７に記載の手乾燥装置。
【請求項１９】
前記ファンモータを有するファンモータユニットと、前記ファンモータユニットの上流側に配置されるフィルターユニットと、前記ファンモータユニット及び前記フィルターユニットを内部に備える本体ケースとを備え、前記本体ケースには本体ケース吸込口を、前記フィルターユニットにはフィルターユニット吸込口をそれぞれ有し、前記本体ケース吸込口の吸込方向と、前記フィルターユニット吸込口の吸込方向とを異ならせたことを特徴とする請求項１に記載の手乾燥装置。
【請求項２０】
前記本体ケース吸込口の吸込方向と、前記フィルターユニット吸込口の吸込方向とを対向する方向としたことを特徴とする請求項１９に記載の手乾燥装置。
【請求項２１】
前記ファンモータを有するファンモータユニットと、前記ファンモータユニットの上流側に配置されるフィルターユニットと、前記ファンモータユニット及び前記フィルターユニットを内部に備える本体ケースとを備え、前記本体ケースには本体ケース吸込口を、前記ファンモータユニットにはファンモータユニット吸込口をそれぞれ有し、前記本体ケース吸込口の吸込方向と、前記ファンモータユニット吸込口の吸込方向とを異ならせたことを特徴とする請求項１に記載の手乾燥装置。
【請求項２２】
前記本体ケース吸込口の吸込方向と、前記ファンモータユニット吸込口の吸込方向とを対向する方向としたことを特徴とする請求項１９に記載の手乾燥装置。
【請求項２３】
前記ファンモータを有するファンモータユニットにはファンモータユニット吸込口を、前記ファンモータユニットを内部に備える本体ケースには本体ケース吸込口をそれぞれ備え、前記本体ケース吸込口から前記ファンモータユニット吸込口までの通風路を、少なくともそれぞれの方向が異なる３つの通風路によって構成したことを特徴とする請求項１に記載の手乾燥装置。
【請求項２４】
それぞれの方向が異なる３つの前記通風路が、互いに直交するＸ軸、Ｙ軸、Ｚ軸方向の通風路であることを特徴とする請求項２３に記載の手乾燥装置。
【請求項２５】
１つの前記通風路が、２つの他の前記通風路によって形成される平面上にないことを特徴とする請求項２３に記載の手乾燥装置。
【請求項２６】
それぞれの空気流れの方向が異なり、互いに連続する２つの前記通風路が、９０度以下の角度で連接されていることを特徴とする請求項２３に記載の手乾燥装置。
【請求項２７】
それぞれの空気流れの方向が異なり、互いに連続する２つの前記通風路において、上流側の前記通風路から流入する空気が下流側の前記通風路に衝突する位置の内壁面に、緩衝材を設けたことを特徴とする請求項２３に記載の手乾燥装置。
【請求項２８】
前記ファンモータを有するファンモータユニットにはファンモータユニット吸込口を、前記ファンモータユニットを内部に備える本体ケースには本体ケース吸込口をそれぞれ備え、前記本体ケース吸込口から前記ファンモータユニット吸込口までの通風路において、一つの通風路の空気流れと対向する空気流れとなる他の通風路を有することを特徴とする請求項１に記載の手乾燥装置。
【請求項２９】
前記ファンモータを有するファンモータユニットにはファンモータユニット吹出口を備え、前記ファンモータユニット吹出口から前記ノズル部の噴出口までの通風路を、少なくともそれぞれの方向が異なる３つの通風路によって構成したことを特徴とする請求項１に記載の手乾燥装置。
【請求項３０】
それぞれの方向が異なる３つの前記通風路が、互いに直交するＸ軸、Ｙ軸、Ｚ軸方向の通風路であることを特徴とする請求項２９に記載の手乾燥装置。
【請求項３１】
１つの前記通風路が、２つの他の前記通風路によって形成される平面上にないことを特徴とする請求項２９に記載の手乾燥装置。
【請求項３２】
それぞれの空気流れの方向が異なり、互いに連続する２つの前記通風路が、９０度以下の角度で連接されていることを特徴とする請求項２９に記載の手乾燥装置。
【請求項３３】
それぞれの空気流れの方向が異なり、互いに連続する２つの前記通風路において、上流側の前記通風路から流入する空気が下流側の前記通風路に衝突する位置の内壁面に、緩衝材を設けたことを特徴とする請求項２９に記載の手乾燥装置。
【請求項３４】
前記ファンモータを有するファンモータユニットにはファンモータユニット吹出口を備え、前記ファンモータユニット吹出口から前記ノズル部の噴出口までの通風路において、一つの通風路の空気流れと対向する空気流れとなる他の通風路を有することを特徴とする請求項１に記載の手乾燥装置。
【請求項３５】
前記ファンモータを有するファンモータユニットにはファンモータユニット吹出口を備え、前記ファンモータユニット吹出口から前記ノズル部の噴出口までの通風路の内壁面に、空気流れを変更する遮音壁を設けたことを特徴とする請求項１に記載の手乾燥装置。
【請求項３６】
前記内壁面として対向する２つの壁面を有し、一方の前記内壁面に設けた前記遮音壁と他方の前記内壁面との間には空気の流れる空間が形成されていることを特徴とする請求項３５に記載の手乾燥装置。
【請求項３７】
前記内壁面として対向する２つの壁面を有し、２つの前記壁面にそれぞれ前記遮音壁を設け、一方の前記内壁面に設けた前記遮音壁と他方の前記内壁面との間には空気の流れる空間が形成され、他方の前記内壁面に設けた前記遮音壁と一方の前記内壁面との間には空気の流れる空間が形成されていることを特徴とする請求項３５に記載の手乾燥装置。
【請求項３８】
他方の前記内壁面に設けた前記遮音壁の高さ寸法を、一方の前記内壁面に設けた前記遮音壁と他方の前記内壁面との間の前記空間の寸法よりも大きくしたことを特徴とする請求項３７に記載の手乾燥装置。
【請求項３９】
前記ファンモータを有するファンモータユニットにはファンモータユニット吸込口を備え、前記ファンモータユニット吸込口に連続する通風路を、前記ファンモータの回転軸と平行としたことを特徴とする請求項１に記載の手乾燥装置。
【請求項４０】
前記ファンモータを有するファンモータユニットにはファンモータユニット吸込口を備え、前記ファンモータユニット吸込口に連続する通風路の空気の流れ方向を、前記ファンモータの回転方向と同じ方向としたことを特徴とする請求項１に記載の手乾燥装置。
【請求項４１】
前記ファンモータユニット吸込口の入口開口断面を出口開口断面よりも広く構成するとともに、前記入口開口から前記出口開口に至る段差部を曲面で構成したことを特徴とする請求項３９又は請求項４０に記載の手乾燥装置。
【請求項４２】
前記ファンモータを有するファンモータユニットにはファンモータユニット吸込口を備え、前記ファンモータユニット吸込口と前記ファンモータ吸込口との間に、前記ファンモータユニット吸込口の通路断面積よりも広い吸入空間を蓋体によって形成し、前記蓋体の略中心部に前記ファンモータ吸込口が、前記蓋体の一側方に前記ファンモータユニット吸込口が配置され、前記吸入空間を、前記ファンモータ吸入口よりも前記ファンモータユニット吸入口側に形成される第１の吸入空間と、前記ファンモータ吸入口よりも前記ファンモータユニット吸入口と対向する側に形成される第２の吸入空間とに区分した場合に、前記第１の吸入空間を前記第２の吸入空間よりも大きくしたことを特徴とする請求項１に記載の手乾燥装置。
【請求項４３】
前記蓋体の前記ファンモータユニット吸入口と対向する側に傾斜面を設けたことを特徴とする請求項４２に記載の手乾燥装置。
【請求項４４】
前記ファンモータを前記ファンモータユニットに防振材を介して固定し、前記ファンモータユニットを前記本体ケースに防振材を介して固定したことを特徴とする請求項４２に記載の手乾燥装置。
【請求項４５】
前記ファンモータ及びフィルターユニットの前面側を前面側本体ケースで覆い、前記前面側本体ケースの下部にドレインタンクを設け、前記ドレインタンクの上方に前記フィルターユニットを配置し、前記フィルターユニットに有する集塵フィルターを、前記ドレインタンク側から脱着可能に設けたことを特徴とする請求項１に記載の手乾燥装置。
【請求項４６】
前記ノズル部に整流格子を設け、前記整流格子よりも小さい粒径の粉塵を除去する集塵フィルターと、前記集塵フィルターよりも大きい塵埃を捕集するプレプレフィルターとを設けたことを特徴とする請求項１に記載の手乾燥装置。
【請求項４７】
前記ノズル部に整流格子を設け、前記整流格子よりも小さい粒径の粉塵を除去する集塵フィルターと、前記集塵フィルターよりも大きい塵埃を捕集するプレプレフィルターとを設け、前記プレフィルターを前記ドレインタンクと前記フィルターユニットとの間に配置したことを特徴とする請求項４５に記載の手乾燥装置。
【発明の詳細な説明】
【技術分野】
【０００１】
本発明は、洗面所やトイレ等で手を洗った場合、濡れた手を乾燥させる手乾燥装置に関する。
【背景技術】
【０００２】
従来、この種の手乾燥装置としては、両面から空気を吹き出す空間に手を挿入して乾燥を行う手乾燥装置が知られている（例えば特許文献１参照）。
また、乾燥空間の上部にファンモータを備え、乾燥空間の上方から空気を吹き出す手乾燥装置が知られている（例えば特許文献２参照）。
【特許文献１】特開平０５−２９３０５５号公報
【特許文献２】特開平１０−９９２３５号公報
【発明の開示】
【発明が解決しようとする課題】
【０００３】
しかし、特許文献１に示される手乾燥装置にあっては、狭い空間に手を挿入しなければならないため、使用時に手が装置本体に触れてしまうという不快感を生じていた。更にこのタイプの手乾燥装置では、手を挿入するための十分な奥行きを確保する必要があり、狭い空間で深い奥行きのために、不清潔感を生じてしまい、また清掃も行いにくいという問題を有していた。
一方、特許文献２に示される手乾燥装置にあっては、乾燥空間が広く、清掃も行いやすいため、清潔感は確保されていたが、ファンモータなどが乾燥空間より高い位置に配置されるため、使用者に圧迫感を与え、室内空間を狭く感じさせてしまうという問題を有していた。
【０００４】
そこで本発明は、使用時に装置本体に手が触れる不快感を無くすとともに、使用者に圧迫感を与えることのない手乾燥装置を提供することを目的とする。
また本発明は、乾燥感が高く、乾燥時間の短い手乾燥装置を提供することを目的とする。
また本発明は、ファンモータで発生する騒音が本体ケースから外部に伝搬することを少なくすることができる手乾燥装置を提供することを目的とする。
【課題を解決するための手段】
【０００５】
請求項１記載の本発明の手乾燥装置は、凹状に形成された乾燥室と、前記乾燥室に向けて温風を噴出するノズル部と、前記ノズル部から噴出する空気を送出するファンモータとを備えた手乾燥装置であって、前記ファンモータを前記乾燥室の下方に設け、前記乾燥室の開口部より上方に前記ノズル部を配置し、前記ノズル部を形成するノズルカバーを前記開口部より小さく形成し、鉛直方向から見たときに前記開口部の全面が前記ノズルカバーによって覆われないことを特徴とする。
請求項２記載の本発明は、請求項１に記載の手乾燥装置において、前記ファンモータから前記ノズル部に空気を導く通風路を前記乾燥室の背面に設け、前記ノズルカバーを前記乾燥室の背面側から前面側に延出させて設けたことを特徴とする。
請求項３記載の本発明は、請求項１に記載の手乾燥装置において、前記ファンモータの下方にＨＥＰＡフィルターを設け、前記ＨＥＰＡフィルターの下部に空気導入通路を形成したことを特徴とする。
請求項４記載の本発明は、請求項１に記載の手乾燥装置において、前記ノズル部を複数の長孔によって構成し、少なくとも一つの前記長孔の方向を、他の前記長孔の方向と異ならせたことを特徴とする。
請求項５記載の本発明は、請求項１に記載の手乾燥装置において、前記ノズル部を複数の長孔によって構成し、前記ノズル部の吸入側に整流板を設けたことを特徴とする。
請求項６記載の本発明は、請求項１に記載の手乾燥装置において、前記ノズル部を複数の長孔によって構成し、一部の前記長孔の吹き出し方向を他の前記長孔の吹き出し方向と異ならせたことを特徴とする。
請求項７記載の本発明は、請求項１に記載の手乾燥装置において、前記ノズル部を第１のノズル部と第２のノズル部によって構成し、前記第１のノズル部を前記第２のノズル部よりも前面側に配置し、前記第１のノズル部を構成する長孔を、手挿入方向に対して垂直な方向に形成したことを特徴とする。
請求項８記載の本発明は、請求項１に記載の手乾燥装置において、前記ノズル部を第１のノズル部と第２のノズル部によって構成し、前記第１のノズル部を前記第２のノズル部よりも前面側に配置し、前記第２のノズル部を構成する長孔を、手挿入方向に対して平行な方向に形成したことを特徴とする。
請求項９記載の本発明は、請求項１に記載の手乾燥装置において、前記ノズル部を第１のノズル部と第２のノズル部によって構成し、前記第１のノズル部を前記第２のノズル部よりも前面側に配置し、前記第２のノズル部を構成する長孔を、当該長孔の前面側端部よりも当該長孔の後方側端部を前記ノズルカバーの中心側に配置して形成したことを特徴とする。
請求項１０記載の本発明は、請求項１に記載の手乾燥装置において、前記ノズル部を第１のノズル部と第２のノズル部によって構成し、前記第１のノズル部を前記第２のノズル部よりも前面側に配置し、前記第２のノズル部の突出長さを、前記第１のノズル部の突出長さよりも大きくしたことを特徴とする。
請求項１１記載の本発明は、請求項７から請求項１０のいずれかに記載の手乾燥装置において、前記第２ノズル部の奥側に、第３のノズル部を設けたことを特徴とする。
請求項１２記載の本発明は、請求項１に記載の手乾燥装置において、前記ノズルカバーの上面を平坦面としたことを特徴とする。
請求項１３記載の本発明は、請求項１に記載の手乾燥装置において、前記ノズルカバーの下面に突出面を形成し、前記突出面を前記ノズルカバー外周よりも内方に形成したことを特徴とする。
請求項１４記載の本発明は、請求項１３に記載の手乾燥装置において、前記突出面と前記ノズルカバー外周との間に傾斜面を形成したことを特徴とする
請求項１５記載の本発明は、請求項１に記載の手乾燥装置において、前記ノズルカバーの上面の前面側位置にインジケータを設けたことを特徴とする。
請求項１６記載の本発明は、請求項１５に記載の手乾燥装置において、前記ノズルカバー内の前端部にＬＥＤ基盤を設け、光軸を前記ノズルカバーの後方側に向けたＬＥＤを前記ＬＥＤ基盤に設け、前記ＬＥＤに対向してプリズムを設け、前記インジケータを前記プリズムの上部に配置したことを特徴とする。
請求項１７記載の本発明は、請求項１に記載の手乾燥装置において、前記ファンモータを背面側本体ケースに設け、前記ファンモータの前面側を前面側本体ケースで覆い、前記ファンモータの上方であって、前記背面側本体ケースと前記前面側本体ケースとによって形成される上部開口を前記乾燥室にて覆い、前記乾燥室を一体成形によって構成したことを特徴とする。
請求項１８記載の本発明は、請求項１７に記載の手乾燥装置において、前記乾燥室の下面を、前方側を後方側よりも低くなるように形成し、水抜き孔を前記乾燥室下面の前方側に設けたことを特徴とする。
請求項１９記載の本発明は、請求項１に記載の手乾燥装置において、前記ファンモータを有するファンモータユニットと、前記ファンモータユニットの上流側に配置されるフィルターユニットと、前記ファンモータユニット及び前記フィルターユニットを内部に備える本体ケースとを備え、前記本体ケースには本体ケース吸込口を、前記フィルターユニットにはフィルターユニット吸込口をそれぞれ有し、前記本体ケース吸込口の吸込方向と、前記フィルターユニット吸込口の吸込方向とを異ならせたことを特徴とする。
請求項２０記載の本発明は、請求項１９に記載の手乾燥装置において、前記本体ケース吸込口の吸込方向と、前記フィルターユニット吸込口の吸込方向とを対向する方向としたことを特徴とする。
請求項２１記載の本発明は、請求項１に記載の手乾燥装置において、前記ファンモータを有するファンモータユニットと、前記ファンモータユニットの上流側に配置されるフィルターユニットと、前記ファンモータユニット及び前記フィルターユニットを内部に備える本体ケースとを備え、前記本体ケースには本体ケース吸込口を、前記ファンモータユニットにはファンモータユニット吸込口をそれぞれ有し、前記本体ケース吸込口の吸込方向と、前記ファンモータユニット吸込口の吸込方向とを異ならせたことを特徴とする。
請求項２２記載の本発明は、請求項１９に記載の手乾燥装置において、前記本体ケース吸込口の吸込方向と、前記ファンモータユニット吸込口の吸込方向とを対向する方向としたことを特徴とする。
請求項２３記載の本発明は、請求項１に記載の手乾燥装置において、前記ファンモータを有するファンモータユニットにはファンモータユニット吸込口を、前記ファンモータユニットを内部に備える本体ケースには本体ケース吸込口をそれぞれ備え、前記本体ケース吸込口から前記ファンモータユニット吸込口までの通風路を、少なくともそれぞれの方向が異なる３つの通風路によって構成したことを特徴とする。
請求項２４記載の本発明は、請求項２３に記載の手乾燥装置において、それぞれの方向が異なる３つの前記通風路が、互いに直交するＸ軸、Ｙ軸、Ｚ軸方向の通風路であることを特徴とする。
請求項２５記載の本発明は、請求項２３に記載の手乾燥装置において、１つの前記通風路が、２つの他の前記通風路によって形成される平面上にないことを特徴とする。
請求項２６記載の本発明は、請求項２３に記載の手乾燥装置において、それぞれの空気流れの方向が異なり、互いに連続する２つの前記通風路が、９０度以下の角度で連接されていることを特徴とする。
請求項２７記載の本発明は、請求項２３に記載の手乾燥装置において、それぞれの空気流れの方向が異なり、互いに連続する２つの前記通風路において、上流側の前記通風路から流入する空気が下流側の前記通風路に衝突する位置の内壁面に、緩衝材を設けたことを特徴とする。
請求項２８記載の本発明は、請求項１に記載の手乾燥装置において、前記ファンモータを有するファンモータユニットにはファンモータユニット吸込口を、前記ファンモータユニットを内部に備える本体ケースには本体ケース吸込口をそれぞれ備え、前記本体ケース吸込口から前記ファンモータユニット吸込口までの通風路において、一つの通風路の空気流れと対向する空気流れとなる他の通風路を有することを特徴とする。
請求項２９記載の本発明は、請求項１に記載の手乾燥装置において、前記ファンモータを有するファンモータユニットにはファンモータユニット吹出口を備え、前記ファンモータユニット吹出口から前記ノズル部の噴出口までの通風路を、少なくともそれぞれの方向が異なる３つの通風路によって構成したことを特徴とする。
請求項３０記載の本発明は、請求項２９に記載の手乾燥装置において、それぞれの方向が異なる３つの前記通風路が、互いに直交するＸ軸、Ｙ軸、Ｚ軸方向の通風路であることを特徴とする。
請求項３１記載の本発明は、請求項２９に記載の手乾燥装置において、１つの前記通風路が、２つの他の前記通風路によって形成される平面上にないことを特徴とする。
請求項３２記載の本発明は、請求項２９に記載の手乾燥装置において、それぞれの空気流れの方向が異なり、互いに連続する２つの前記通風路が、９０度以下の角度で連接されていることを特徴とする。
請求項３３記載の本発明は、請求項２９に記載の手乾燥装置において、それぞれの空気流れの方向が異なり、互いに連続する２つの前記通風路において、上流側の前記通風路から流入する空気が下流側の前記通風路に衝突する位置の内壁面に、緩衝材を設けたことを特徴とする。
請求項３４記載の本発明は、請求項１に記載の手乾燥装置において、前記ファンモータを有するファンモータユニットにはファンモータユニット吹出口を備え、前記ファンモータユニット吹出口から前記ノズル部の噴出口までの通風路において、一つの通風路の空気流れと対向する空気流れとなる他の通風路を有することを特徴とする。
請求項３５記載の本発明は、請求項１に記載の手乾燥装置において、前記ファンモータを有するファンモータユニットにはファンモータユニット吹出口を備え、前記ファンモータユニット吹出口から前記ノズル部の噴出口までの通風路の内壁面に、空気流れを変更する遮音壁を設けたことを特徴とする。
請求項３６記載の本発明は、請求項３５に記載の手乾燥装置において、前記内壁面として対向する２つの壁面を有し、一方の前記内壁面に設けた前記遮音壁と他方の前記内壁面との間には空気の流れる空間が形成されていることを特徴とする。
請求項３７記載の本発明は、請求項３５に記載の手乾燥装置において、前記内壁面として対向する２つの壁面を有し、２つの前記壁面にそれぞれ前記遮音壁を設け、一方の前記内壁面に設けた前記遮音壁と他方の前記内壁面との間には空気の流れる空間が形成され、他方の前記内壁面に設けた前記遮音壁と一方の前記内壁面との間には空気の流れる空間が形成されていることを特徴とする。
請求項３８記載の本発明は、請求項３７に記載の手乾燥装置において、他方の前記内壁面に設けた前記遮音壁の高さ寸法を、一方の前記内壁面に設けた前記遮音壁と他方の前記内壁面との間の前記空間の寸法よりも大きくしたことを特徴とする。
請求項３９記載の本発明は、請求項１に記載の手乾燥装置において、前記ファンモータを有するファンモータユニットにはファンモータユニット吸込口を備え、前記ファンモータユニット吸込口に連続する通風路を、前記ファンモータの回転軸と平行としたことを特徴とする。
請求項４０記載の本発明は、請求項１に記載の手乾燥装置において、前記ファンモータを有するファンモータユニットにはファンモータユニット吸込口を備え、前記ファンモータユニット吸込口に連続する通風路の空気の流れ方向を、前記ファンモータの回転方向と同じ方向としたことを特徴とする。
請求項４１記載の本発明は、請求項３９又は請求項４０に記載の手乾燥装置において、前記ファンモータユニット吸込口の入口開口断面を出口開口断面よりも広く構成するとともに、前記入口開口から前記出口開口に至る段差部を曲面で構成したことを特徴とする。
請求項４２記載の本発明は、請求項１に記載の手乾燥装置において、前記ファンモータを有するファンモータユニットにはファンモータユニット吸込口を備え、前記ファンモータユニット吸込口と前記ファンモータ吸込口との間に、前記ファンモータユニット吸込口の通路断面積よりも広い吸入空間を蓋体によって形成し、前記蓋体の略中心部に前記ファンモータ吸込口が、前記蓋体の一側方に前記ファンモータユニット吸込口が配置され、前記吸入空間を、前記ファンモータ吸入口よりも前記ファンモータユニット吸入口側に形成される第１の吸入空間と、前記ファンモータ吸入口よりも前記ファンモータユニット吸入口と対向する側に形成される第２の吸入空間とに区分した場合に、前記第１の吸入空間を前記第２の吸入空間よりも大きくしたことを特徴とする。
請求項４３記載の本発明は、請求項４２に記載の手乾燥装置において、前記蓋体の前記ファンモータユニット吸入口と対向する側に傾斜面を設けたことを特徴とする。
請求項４４記載の本発明は、請求項４２に記載の手乾燥装置において、前記ファンモータを前記ファンモータユニットに防振材を介して固定し、前記ファンモータユニットを前記本体ケースに防振材を介して固定したことを特徴とする。
請求項４５記載の本発明は、請求項１に記載の手乾燥装置において、前記ファンモータ及びフィルターユニットの前面側を前面側本体ケースで覆い、前記前面側本体ケースの下部にドレインタンクを設け、前記ドレインタンクの上方に前記フィルターユニットを配置し、前記フィルターユニットに有する集塵フィルターを、前記ドレインタンク側から脱着可能に設けたことを特徴とする。
請求項４６記載の本発明は、請求項１に記載の手乾燥装置において、前記ノズル部に整流格子を設け、前記整流格子よりも小さい粒径の粉塵を除去する集塵フィルターと、前記集塵フィルターよりも大きい塵埃を捕集するプレプレフィルターとを設けたことを特徴とする。
請求項４７記載の本発明は、請求項４５に記載の手乾燥装置において、前記ノズル部に整流格子を設け、前記整流格子よりも小さい粒径の粉塵を除去する集塵フィルターと、前記集塵フィルターよりも大きい塵埃を捕集するプレプレフィルターとを設け、前記プレフィルターを前記ドレインタンクと前記フィルターユニットとの間に配置したことを特徴とする。
【発明の効果】
【０００６】
本発明によれば、圧迫感を受けることなく使用することができ、開口部の下方に凹状の乾燥室を形成するとともに、乾燥室とノズルカバーとの間にも乾燥空間を形成し、特に乾燥空間は前面だけでなく側面も開放されているので、手の挿入空間が広く、使用時に装置本体に手が触れる不快感を無くすことができる。
また本発明によれば、手の平又は手の甲に風圧を受けやすく、乾燥感を高めることができ、手の挿入動作に伴う水切り効果や指の間の乾燥効果を高めることができ、乾燥時間を短縮することができる。
また本発明によれば、ファンモータで発生する騒音が本体ケースから外部に伝搬することを少なくすることができる。
【発明を実施するための最良の形態】
【０００７】
本発明の第１の実施の形態による手乾燥装置は、ファンモータを乾燥室の下方に設け、乾燥室の開口部より上方にノズル部を配置し、ノズル部を形成するノズルカバーを開口部より小さく形成し、鉛直方向から見たときに開口部の全面をノズルカバーによって覆わないものである。本実施の形態によれば、ファンモータを乾燥室の下方に設けることで圧迫感を受けず、ノズルカバーを乾燥室の開口部より小さく形成することで乾燥室の上方の空間の開放感を高めることができる。
本発明の第２の実施の形態は、第１の実施の形態による手乾燥装置において、ファンモータからノズル部に空気を導く通風路を乾燥室の背面に設け、ノズルカバーを乾燥室の背面側から前面側に延出させて設けたものである。本実施の形態によれば、開口部の下方に凹状の乾燥室を形成するとともに、乾燥室とノズルカバーとの間にも乾燥空間を形成し、特に乾燥空間は前面だけでなく側面も開放されているので、手の挿入空間が広く、使用時に装置本体に手が触れる不快感を無くすことができる。
本発明の第３の実施の形態は、第１の実施の形態による手乾燥装置において、ファンモータの下方にＨＥＰＡフィルターを設け、ＨＥＰＡフィルターの下部に空気導入通路を形成したものである。本実施の形態によれば、乾燥室より下方に、ファンモータやＨＥＰＡフィルターを設けることで、装置本体の高い位置に突出部を無くし、使用者に対する圧迫感を無くすことができる。また、ＨＥＰＡフィルターを用いることで、室内浮遊菌を捕集、除菌して室内空間の衛生を高めることもできる。
本発明の第４の実施の形態は、第１の実施の形態による手乾燥装置において、ノズル部を複数の長孔によって構成し、少なくとも一つの長孔の方向を、他の長孔の方向と異ならせたものである。本実施の形態によれば、手の平又は手の甲に風圧を受けやすく、乾燥感を高めることができる。
本発明の第５の実施の形態は、第１の実施の形態による手乾燥装置において、ノズル部を複数の長孔によって構成し、ノズル部の吸入側に整流板を設けたものである。本実施の形態によれば、手の平又は手の甲に風圧を受けやすく、乾燥感を高めることができるとともに、整流板によって乱流を少なくし、ノズル部６０からの吹き出し空気の到達距離を長くすることができるので、風圧効果を高めることができると共に、騒音の低減も図ることができる。
本発明の第６の実施の形態は、第１の実施の形態による手乾燥装置において、ノズル部を複数の長孔によって構成し、一部の長孔の吹き出し方向を他の長孔の吹き出し方向と異ならせたものである。凹状に形成された乾燥室に対して、風圧を高めるように複数の長孔から空気を吹き出すと、乾燥室内に吹き出された空気は開口部から流出しようとするが、長孔からの吹き出し空気が均一であればあるほど、開口部からの空気の流出は不規則に生じる。そして、この不規則な空気の流出は騒音を発生させることがある。本実施の形態によれば、一部の長孔の吹き出し方向を他の長孔の吹き出し方向と異ならせることで、乾燥室内からの空気の定常的な流出を促すことができ、不規則な空気の流出によって生じる騒音を防止することができる。
本発明の第７の実施の形態は、第１の実施の形態による手乾燥装置において、ノズル部を第１のノズル部と第２のノズル部によって構成し、第１のノズル部を第２のノズル部よりも前面側に配置し、第１のノズル部を構成する長孔を、手挿入方向に対して垂直な方向に形成したものである。本実施の形態によれば、手の挿入動作によって水切り効果を生じることができ、乾燥時間を短縮することができる。
本発明の第８の実施の形態は、第１の実施の形態による手乾燥装置において、ノズル部を第１のノズル部と第２のノズル部によって構成し、第１のノズル部を第２のノズル部よりも前面側に配置し、第２のノズル部を構成する長孔を、手挿入方向に対して平行な方向に形成したものである。本実施の形態によれば、指の間の乾燥効果を高めることができ、乾燥時間を短縮することができる。
本発明の第９の実施の形態は、第１の実施の形態による手乾燥装置において、ノズル部を第１のノズル部と第２のノズル部によって構成し、第１のノズル部を第２のノズル部よりも前面側に配置し、第２のノズル部を構成する長孔を、当該長孔の前面側端部よりも当該長孔の後方側端部をノズルカバーの中心側に配置して形成したものである。本実施の形態によれば、後方側ではノズルカバーの中心よりで吹き出し風量が多くなるため、手挿入後に手揉みによる乾燥効果を高めることができる。特に乾燥室が大きな凹状に形成されている場合には手揉み効果を高めることができる。
本発明の第１０の実施の形態は、第１の実施の形態による手乾燥装置において、ノノズル部を第１のノズル部と第２のノズル部によって構成し、第１のノズル部を第２のノズル部よりも前面側に配置し、第２のノズル部の突出長さを、第１のノズル部の突出長さよりも大きくしたものである。本実施の形態によれば、後方側の吹き出し空気の到達距離を高めることができるので、手挿入時の風圧効果を高めることができる。
本発明の第１１の実施の形態は、第７から第１０の実施の形態による手乾燥装置において、第２ノズル部の奥側に、第３のノズル部を設けたものである。本実施の形態によれば、手全体に一度に気流が当たるため、短時間でむらなく乾燥することができる。
本発明の第１２の実施の形態は、第１の実施の形態による手乾燥装置において、ノズルカバーの上面を平坦面としたものである。本実施の形態によれば、ハンドバック等の小物置台として使用でき、使用時の利便性を高めることができる。
本発明の第１３の実施の形態は、第１の実施の形態による手乾燥装置において、ノズルカバーの下面に突出面を形成し、突出面はノズルカバー外周よりも内方に形成したものである。本実施の形態によれば、ノズルカバーの外周側を薄く、ノズルカバーの中心部を厚く構成することで、設置時にノズルカバーが薄く見え、ノズルカバーによる圧迫感を少なくし、乾燥室を広く感じさせることができる。また、ノズルカバーの中心部を厚く構成することで、ノズル部の手前の通風路空間を確保できるので複数の長孔に対する均一な吹き出しを行える。更に、突出面の前面と側面では外周部からノズル部への空気の流れを形成しやすく、一方突出面の後面では乾燥室内からノズル部への空気の流れを形成しやすくなる。
本発明の第１４の実施の形態は、第１３の実施の形態による手乾燥装置において、突出面とノズルカバー外周との間に傾斜面を形成したものである。本実施の形態によれば、突出面の前面と側面における外周部からノズル部への空気の流れや、突出面の後面における乾燥室内からノズル部への空気の流れを更にスムーズに行わせることができる。
本発明の第１５の実施の形態は、第１の実施の形態による手乾燥装置において、ノズルカバーの上面の前面側位置にインジケータを設けたものである。本実施の形態によれば、乾燥時間の目安を認識できるとともに退屈感を防止することができる。
本発明の第１６の実施の形態は、第１５の実施の形態による手乾燥装置において、ノズルカバー内の前端部にＬＥＤ基盤を設け、ＬＥＤに対向してプリズムを設け、インジケータをプリズムの上部に配置したものである。ＬＥＤを用いてインジケータで面発光させるには、インジケータとＬＥＤとの間に所定の距離を設ける必要があるが、ノズルカバーの上面にインジケータを設ける場合に、このインジケータに対向する位置にＬＥＤを設けるとノズルカバーを厚くしなければならなくなる。本実施の形態によれば、ＬＥＤをノズルカバーの前端部に配置してプリズムを利用してノズルカバー上面のインジケータを面発光させることで、ノズルカバーを薄く構成することができるとともにＬＥＤとインジケータとの距離を十分に確保することができる。
本発明の第１７の実施の形態は、第１の実施の形態による手乾燥装置において、ファンモータを背面側本体ケースに設け、ファンモータの前面側を前面側本体ケースで覆い、ファンモータの上方であって、背面側本体ケースと前面側本体ケースとによって形成される上部開口を乾燥室にて覆い、乾燥室を一体成形によって構成したものである。本実施の形態によれば、背面側本体ケースと前面側本体ケースとによって上部開口を形成し、この上部開口に乾燥室を設ける構成としたことで、乾燥室を一体成形することができ、継ぎ目などに発生しやすいカビや汚れを防止でき、清潔感を確保できる乾燥室を実現することができる。
本発明の第１８の実施の形態は、第１７の実施の形態による手乾燥装置において、乾燥室の下面を、前方側を後方側よりも低くなるように形成し、水抜き孔を乾燥室下面の前方側に設けたものである。本実施の形態によれば、使用状態において水抜き孔が視界に入らない構成とすることができ、使用時の清潔感を高めることができる。
本発明の第１９の実施の形態は、第１の実施の形態による手乾燥装置において、ファンモータを有するファンモータユニットと、ファンモータユニットの上流側に配置されるフィルターユニットと、ファンモータユニット及びフィルターユニットを内部に備える本体ケースとを備え、本体ケースには本体ケース吸込口を、フィルターユニットにはフィルターユニット吸込口をそれぞれ有し、本体ケース吸込口の吸込方向と、フィルターユニット吸込口の吸込方向とを異ならせたものである。本実施の形態によれば、本体ケース吸込口からフィルターユニット吸込口に至る通風路が直線上とならず、かならず曲がりを有することになるので、ファンモータで発生する騒音が本体ケース吸込口から外部に伝搬することを少なくすることができる。
本発明の第２０の実施の形態は、第１９の実施の形態による手乾燥装置において、本体ケース吸込口の吸込方向と、フィルターユニット吸込口の吸込方向とを対向する方向としたものである。本実施の形態によれば、本体ケース吸込口からフィルターユニット吸込口に至る通風路が１８０度の曲がりを有することになるので、ファンモータで発生する騒音が本体ケース吸込口から外部に伝搬することをさらに少なくすることができる。
本発明の第２１の実施の形態は、第１の実施の形態による手乾燥装置において、ファンモータを有するファンモータユニットと、ファンモータユニットの上流側に配置されるフィルターユニットと、ファンモータユニット及びフィルターユニットを内部に備える本体ケースとを備え、本体ケースには本体ケース吸込口を、ファンモータユニットにはファンモータユニット吸込口をそれぞれ有し、本体ケース吸込口の吸込方向と、ファンモータユニット吸込口の吸込方向とを異ならせたものである。本実施の形態によれば、本体ケース吸込口からファンモータユニット吸込口に至る通風路が直線上とならず、かならず曲がりを有することになるので、ファンモータで発生する騒音が本体ケース吸込口から外部に伝搬することを少なくすることができる。
本発明の第２２の実施の形態は、第１９の実施の形態による手乾燥装置において、本体ケース吸込口の吸込方向と、ファンモータユニット吸込口の吸込方向とを対向する方向としたものである。本実施の形態によれば、本体ケース吸込口からファンモータユニット吸込口に至る通風路が１８０度の曲がりを有することになるので、ファンモータで発生する騒音が本体ケース吸込口から外部に伝搬することをさらに少なくすることができる。
本発明の第２３の実施の形態は、第１の実施の形態による手乾燥装置において、ファンモータを有するファンモータユニットにはファンモータユニット吸込口を、ファンモータユニットを内部に備える本体ケースには本体ケース吸込口をそれぞれ備え、本体ケース吸込口からファンモータユニット吸込口までの通風路を、少なくともそれぞれの方向が異なる３つの通風路によって構成したものである。本実施の形態によれば、それぞれの方向が異なる３つの通風路によって、ファンモータで発生する騒音が本体ケース吸込口から外部に伝搬することを少なくすることができる。
本発明の第２４の実施の形態は、第２３の実施の形態による手乾燥装置において、それぞれの方向が異なる３つの通風路を、互いに直交するＸ軸、Ｙ軸、Ｚ軸方向の通風路とするものである。本実施の形態によれば、Ｘ軸、Ｙ軸、Ｚ軸方向の通風路によって、ファンモータで発生する騒音が本体ケース吸込口から外部に伝搬することをさらに少なくすることができる。
本発明の第２５の実施の形態は、第２３の実施の形態による手乾燥装置において、１つの通風路が、２つの他の通風路によって形成される平面上にないものである。本実施の形態によれば、三次元の方向に設けた通風路によって、ファンモータで発生する騒音が本体ケース吸込口から外部に伝搬することをさらに少なくすることができる。
本発明の第２６の実施の形態は、第２３の実施の形態による手乾燥装置において、それぞれの空気流れの方向が異なり、互いに連続する２つの通風路が、９０度以下の角度で連接されているものである。本実施の形態によれば、ファンモータで発生する騒音が９０度以下の角度の曲がりによって、通風路内に衝突するため、ファンモータで発生する騒音が通風路内を伝搬することを防止でき、本体ケース吸込口から外部に伝搬することをさらに少なくすることができる。
本発明の第２７の実施の形態は、第２３の実施の形態による手乾燥装置において、それぞれの空気流れの方向が異なり、互いに連続する２つの通風路において、上流側の通風路から流入する空気が下流側の通風路に衝突する位置の内壁面に、緩衝材を設けたものである。本実施の形態によれば、通風路内に衝突させるとともに、この場所で騒音を緩衝又は吸音することができるので、ファンモータで発生する騒音が通風路内を伝搬することを防止でき、本体ケース吸込口から外部に伝搬することをさらに少なくすることができる。
本発明の第２８の実施の形態は、第１の実施の形態による手乾燥装置において、ファンモータを有するファンモータユニットにはファンモータユニット吸込口を、ファンモータユニットを内部に備える本体ケースには本体ケース吸込口をそれぞれ備え、本体ケース吸込口からファンモータユニット吸込口までの通風路において、一つの通風路の空気流れと対向する空気流れとなる他の通風路を有するものである。本実施の形態によれば、本体ケース吸込口からファンモータユニット吸込口に至る通風路が１８０度の曲がりを有することになるので、ファンモータで発生する騒音が本体ケース吸込口から外部に伝搬することをさらに少なくすることができる。
本発明の第２９の実施の形態は、第１の実施の形態による手乾燥装置において、ファンモータを有するファンモータユニットにはファンモータユニット吹出口を備え、ファンモータユニット吹出口からノズル部の噴出口までの通風路を、少なくともそれぞれの方向が異なる３つの通風路によって構成したものである。本実施の形態によれば、それぞれの方向が異なる３つの通風路によって、ファンモータで発生する騒音がノズル部から外部に伝搬することを少なくすることができる。
本発明の第３０の実施の形態は、第２９の実施の形態による手乾燥装置において、それぞれの方向が異なる３つの通風路を、互いに直交するＸ軸、Ｙ軸、Ｚ軸方向の通風路とするものである。本実施の形態によれば、Ｘ軸、Ｙ軸、Ｚ軸方向の通風路によって、ファンモータで発生する騒音がノズル部から外部に伝搬することをさらに少なくすることができる。
本発明の第３１の実施の形態は、第２９の実施の形態による手乾燥装置において、１つの通風路が、２つの他の通風路によって形成される平面上にないものである。本実施の形態によれば、三次元の方向に設けた通風路によって、ファンモータで発生する騒音がノズル部から外部に伝搬することをさらに少なくすることができる。
本発明の第３２の実施の形態は、第２９の実施の形態による手乾燥装置において、それぞれの空気流れの方向が異なり、互いに連続する２つの通風路が、９０度以下の角度で連接されているものである。本実施の形態によれば、ファンモータで発生する騒音が９０度以下の角度の曲がりによって、通風路内に衝突するため、ファンモータで発生する騒音が通風路内を伝搬することを防止でき、ノズル部から外部に伝搬することをさらに少なくすることができる。
本発明の第３３の実施の形態は、第２９の実施の形態による手乾燥装置において、それぞれの空気流れの方向が異なり、互いに連続する２つの通風路において、上流側の通風路から流入する空気が下流側の通風路に衝突する位置の内壁面に、緩衝材を設けたものである。本実施の形態によれば、通風路内に衝突させるとともに、この場所で騒音を緩衝又は吸音することができるので、ファンモータで発生する騒音が通風路内を伝搬することを防止でき、ノズル部から外部に伝搬することをさらに少なくすることができる。
本発明の第３４の実施の形態は、第１の実施の形態による手乾燥装置において、ファンモータを有するファンモータユニットにはファンモータユニット吹出口を備え、ファンモータユニット吹出口からノズル部の噴出口までの通風路において、一つの通風路の空気流れと対向する空気流れとなる他の通風路を有するものである。本実施の形態によれば、ファンモータユニット吹出口からノズル部の噴出口に至る通風路が１８０度の曲がりを有することになるので、ファンモータで発生する騒音がノズル部の噴出口から外部に伝搬することを少なくすることができる。
本発明の第３５の実施の形態は、第１の実施の形態による手乾燥装置において、ファンモータを有するファンモータユニットにはファンモータユニット吹出口を備え、ファンモータユニット吹出口からノズル部の噴出口までの通風路の内壁面に、空気流れを変更する遮音壁を設けたものである。本実施の形態によれば、この遮音壁によってファンモータで発生する騒音が通風路内を伝搬することを防止でき、ノズル部から外部に伝搬することを少なくすることができる。
本発明の第３６の実施の形態は、第３５の実施の形態による手乾燥装置において、内壁面として対向する２つの壁面を有し、一方の内壁面に設けた遮音壁と他方の内壁面との間には空気の流れる空間が形成されているものである。本実施の形態によれば、この遮音壁によってファンモータで発生する騒音が通風路内を伝搬することを防止できるとともに、空気流れの抵抗を少なくしてノズル部からの噴流速度の低下を少なくすることができる。
本発明の第３７の実施の形態は、第３５の実施の形態による手乾燥装置において、内壁面として対向する２つの壁面を有し、２つの壁面にそれぞれ遮音壁を設け、一方の内壁面に設けた遮音壁と他方の内壁面との間には空気の流れる空間が形成され、他方の内壁面に設けた遮音壁と一方の内壁面との間には空気の流れる空間が形成されているものである。本実施の形態によれば、それぞれの壁面に設けた遮音壁によってファンモータで発生する騒音が通風路内を伝搬することを防止できるとともに、空気流れの抵抗を少なくしてノズル部からの噴流速度の低下を少なくすることができる。
本発明の第３８の実施の形態は、第３７の実施の形態による手乾燥装置において、他方の内壁面に設けた遮音壁の高さ寸法を、一方の内壁面に設けた遮音壁と他方の内壁面との間の空間の寸法よりも大きくしたものである。本実施の形態によれば、騒音を遮音壁によって確実に衝突させることができ、騒音が通風路内を伝搬することをより防止することができる。
本発明の第３９の実施の形態は、第１の実施の形態による手乾燥装置において、ファンモータを有するファンモータユニットにはファンモータユニット吸込口を備え、ファンモータユニット吸込口に連続する通風路を、ファンモータの回転軸と平行としたものである。本実施の形態によれば、通風路が１８０度の曲がりを有することになるので、ファンモータで発生する騒音が本体ケース吸込口から外部に伝搬することを少なくすることができる。
本発明の第４０の実施の形態は、第１の実施の形態による手乾燥装置において、ファンモータを有するファンモータユニットにはファンモータユニット吸込口を備え、ファンモータユニット吸込口に連続する通風路の空気の流れ方向を、ファンモータの回転方向と同じ方向としたものである。本実施の形態によれば、ファンモータに吸い込まれる空気流れをスムーズにすることで騒音の発生を少なくするとともに、ファンモータの性能低下を防止することができる。
本発明の第４１の実施の形態は、第３９又は第４０の実施の形態による手乾燥装置において、ファンモータユニット吸込口の入口開口断面を出口開口断面よりも広く構成するとともに、入口開口から出口開口に至る段差部を曲面で構成したものである。本実施の形態によれば、曲面によって空気の乱流を防止でき、空気流れをスムーズにすることで騒音の発生を少なくするとともに、ファンモータの性能低下を防止することができる。
本発明の第４２の実施の形態は、第１の実施の形態による手乾燥装置において、ファンモータを有するファンモータユニットにはファンモータユニット吸込口を備え、ファンモータユニット吸込口とファンモータ吸込口との間に、ファンモータユニット吸込口の通路断面積よりも広い吸入空間を蓋体によって形成し、蓋体の略中心部にファンモータ吸込口が、蓋体の一側方にファンモータユニット吸込口が配置され、吸入空間を、ファンモータ吸入口よりもファンモータユニット吸入口側に形成される第１の吸入空間と、ファンモータ吸入口よりもファンモータユニット吸入口と対向する側に形成される第２の吸入空間とに区分した場合に、第１の吸入空間を第２の吸入空間よりも大きくしたものである。本実施の形態によれば、ファンモータへの吸込流れをスムーズにすることで騒音の発生を少なくするとともに、ファンモータの性能低下を防止することができる。
本発明の第４３の実施の形態は、第４２の実施の形態による手乾燥装置において、蓋体のファンモータユニット吸入口と対向する側に傾斜面を設けたものである。本実施の形態によれば、傾斜面によって第１の吸入空間を第２の吸入空間よりも大きくすることができ、スムーズな空気流れを実現することができる。
本発明の第４４の実施の形態は、第４２の実施の形態による手乾燥装置において、ファンモータをファンモータユニットに防振材を介して固定し、ファンモータユニットを本体ケースに防振材を介して固定したものである。本実施の形態によれば、ファンモータから発生する騒音を低減することができる。
本発明の第４５の実施の形態は、第１の実施の形態による手乾燥装置において、ファンモータ及びフィルターユニットの前面側を前面側本体ケースで覆い、前面側本体ケースの下部にドレインタンクを設け、ドレインタンクの上方にフィルターユニットを配置し、フィルターユニットに有する集塵フィルターを、ドレインタンク側から脱着可能に設けたものである。本実施の形態によれば、ドレインタンクを取り外すことで、集塵フィルターを脱着可能な空間が形成されるため、前面側本体ケースを取り外すことなく集塵フィルターを脱着することができる。
本発明の第４６の実施の形態は、第１の実施の形態による手乾燥装置において、ノズル部に整流格子を設け、整流格子よりも小さい粒径の粉塵を除去する集塵フィルターと、集塵フィルターよりも大きい塵埃を捕集するプレプレフィルターとを設けたものである。本実施の形態によれば、整流格子の目詰まりを防ぎ、経年変化による吹出し風量の低下を防ぐことができる。
本発明の第４７の実施の形態は、第４５の実施の形態による手乾燥装置において、ノズル部に整流格子を設け、整流格子よりも小さい粒径の粉塵を除去する集塵フィルターと、集塵フィルターよりも大きい塵埃を捕集するプレプレフィルターとを設け、プレフィルターをドレインタンクとフィルターユニットとの間に配置したものである。本実施の形態によれば、ドレインタンクを取り外すことで、プレフィルターを脱着することができ、前面側本体ケースを取り外すことなくプレフィルターを脱着することができる。
【実施例】
【０００８】
以下、本発明の一実施例による手乾燥装置について図面を用いて説明する。
まず、図１から図４を用いて本実施例による手乾燥装置の外観形状について説明する。
図１は本発明の一実施例による手乾燥装置の斜視図、図２は同装置の正面図、図３は同装置の側面図、図４は同装置の上面図である。
本実施例による手乾燥装置は、装置本体の上部に乾燥室１０を形成している。乾燥室１０は、背面側から前面側に向かって下方に傾斜した外縁部１１によって開口部１２が形成され、この開口部１２の下方に凹状の空間を形成している。乾燥室１０の開口部１２より上方には板状のノズルカバー２０が設けられ、開口部１２とノズルカバー２０との間にも乾燥空間を形成している。なお、乾燥室１０の開口部１２より上方には、ノズルカバー２０以外は設けていない。このノズルカバー２０は、乾燥室１０の背面側から前面側に延出させて設けている。ノズルカバー２０は、特に図４に示すように、鉛直方向から見たときに開口部１２の全面を覆わないように、開口部１２より小さく形成している。すなわち、鉛直方向から見たときに、ノズルカバー２０の両側と前面側は、開口部１２が開放されている。ノズルカバー２０の上面は平坦面とし、上面の前面側位置にインジケータ２１を設けている。このインジケータ２１は、乾燥時間の目安を表示するものである。
装置本体は、乾燥室１０を形成する外縁部１１が最も前面側に突出した形状であり、装置本体の最下部にはドレインタンク３０を設けている。乾燥室１０とドレインタンク３０との間は、本体ケース４０によって覆われている。
【０００９】
次に、図５から図７を用いて本実施例による手乾燥装置の内部構造について説明する。
図５は同装置から乾燥室及びフロントケースを取り外した状態の斜視図、図６は同状態の正面図、図７は同状態の側断面図である。
本体ケース４０の内部、すなわち乾燥室１０の下方には、ＤＣモータを用いたファンモータ５１が設けられ、ファンモータ５１の更に下方には集塵フィルター８１が設けられている。この集塵フィルター８１としては、室内浮遊菌を捕集、除菌する機能を備えたＨＥＰＡフィルターが適している。
ファンモータ５１の上方、すなわち乾燥室１０の背面側には、ノズルカバー２０に連接される通風路１５０が形成されている。また、この通風路１５０の途中にはヒーター９１を設けている。また、集塵フィルター８１の下部には空気導入通路１１０が形成されている。
上記構成により、特に図７に示すように、空気導入通路１１０から吸い込んだ空気は、集塵フィルター８１、ファンモータ５１、通風路１５０を経由して、ノズルカバー２０に導かれる。
なお、特に図５に示すように、装置本体の側部には、ファンモータ５１の回転速度を変更する風量調整ボリューム４１と、ヒーター９１の入り切りを行う温風スイッチ４２と、ファンモータ５１等への通電を行う電源スイッチ４３を備えている。
また、図６及び図７に示すように、ノズルカバー２０の背面側下部には、手の挿入を検出する感度センサー２２を設けている。なお、インジケータ２１は、感度センサー２２によってファンモータ５１が動作を始めると一端側から点灯が始まり、ファンモータ５１の回転に連動して他端側に点灯範囲が拡大し、ファンモータ５１が所定の回転数に達すると全てが点灯した後に消灯する。また、長時間乾燥する場合には、一旦消灯後、一端側から他端に向けて点灯を行ない、消灯までの動作を繰り返していく。
【００１０】
以上のように本実施例によれば、乾燥室１０より下方に、ファンモータ５１、集塵フィルター８１、及びドレインタンク３０を設け、乾燥室１０の開口部１２より上方には、板状のノズルカバー２０以外は設けないことで、乾燥室１０より上方空間を開放し、高い位置での装置本体による突出部を無くし、使用者に対する圧迫感を無くすことができる。また、ノズルカバー２０の上面は平坦面とすることで、ハンドバック等の小物置台として使用でき、肩にかけたハンドバックがずれ落ちるなどの使用時の利便性を高めることができる。
また、本実施例によれば、鉛直方向から見たときに、ノズルカバー２０の両側と前面側は、開口部１２が開放されているため、特に使用者が長身であってノズルカバー２０の上方より手を挿入する場合にも、圧迫感を受けることなく使用することができる。
また、本実施例によれば、開口部１２の下方に凹状の乾燥室１０を形成するとともに、開口部１２とノズルカバー２０との間にも乾燥空間を形成し、特に乾燥空間は前面だけでなく側面も開放されているので、開放感があるとともに、手の挿入空間が広いために使用時に装置本体に手が触れることを少なくすることができる。
また、本実施例によれば、室内浮遊菌を捕集、除菌する機能を備えた集塵フィルター８１を用いることで、室内空間の衛生を高めることもできる。
【００１１】
次に、図８を用いて本実施例による手乾燥装置のノズル部について説明する。
図８は同装置のノズルカバーの下面図である。
ノズル部６０は複数の長孔によって構成され、長孔から噴出される風速は約９０ｍ／ｓから１２０ｍ／ｓ程度のジェット流である。
長孔６１Ａ及び長孔６１Ｂは、ノズルカバー２０の前面側の位置に、手挿入方向に対して垂直な方向に形成している。長孔６１Ａと長孔６１Ｂとは、所定間隔空けて直線上に設けている。なお、長孔６１Ａと長孔６１Ｂとは、直線上ではなく、背面側に広がった「ハの字」状に設けてもよい。ここで、長孔６１Ａ及び長孔６１Ｂは、第１のノズル部を構成する。
長孔６２Ａ、長孔６３Ａ、及び長孔６４Ａは、長孔６１Ａよりも背面側の位置に、手挿入方向に対して平行な方向に形成している。長孔６２Ａと長孔６３Ａと長孔６４Ａとは、所定間隔空けて平行に設けている。
長孔６５Ａ、長孔６６Ａ、及び長孔６７Ａは、長孔６２Ａ、長孔６３Ａ、及び長孔６４Ａよりも更に背面側の位置に、手挿入方向に対して平行な方向に形成している。長孔６２Ａと長孔６３Ａと長孔６４Ａとは、所定間隔空けて平行に設けている。また、長孔６５Ａと長孔６２Ａとは直線上に、長孔６６Ａと長孔６３Ａとは直線上に、長孔６７Ａと長孔６４Ａとは直線上に、それぞれ配置されている。
長孔６２Ｂ、長孔６３Ｂ、及び長孔６４Ｂは、長孔６１Ｂよりも背面側の位置に、手挿入方向に対して平行な方向に形成している。長孔６２Ｂと長孔６３Ｂと長孔６４Ｂとは、所定間隔空けて平行に設けている。
長孔６５Ｂ、長孔６６Ｂ、及び長孔６７Ｂは、長孔６２Ｂ、長孔６３Ｂ、及び長孔６４Ｂよりも更に背面側の位置に、手挿入方向に対して平行な方向に形成している。長孔６２Ｂと長孔６３Ｂと長孔６４Ｂとは、所定間隔空けて平行に設けている。また、長孔６５Ｂと長孔６２Ｂとは直線上に、長孔６６Ｂと長孔６３Ｂとは直線上に、長孔６７Ｂと長孔６４Ｂとは直線上に、それぞれ配置されている。ここで、長孔６２Ａ、長孔６３Ａ、長孔６４Ａ、長孔６５Ａ、長孔６６Ａ、長孔６７Ａ、長孔６２Ｂ、長孔６３Ｂ、長孔６４Ｂ、長孔６５Ｂ、長孔６６Ｂ、及び長孔６７Ｂは、第２のノズル部を構成する。
【００１２】
本実施例によれば、第１のノズル部と第２のノズル部との長孔の方向を異ならせているので、手の平又は手の甲に風圧を受けやすく、乾燥感を高めることができる。特に第１のノズル部は、手挿入方向に対して垂直な方向に形成しているので、手の挿入動作によって水切り効果を生じるとともに、第２のノズル部は、手挿入方向に対して平行な方向に複数の長孔を形成しているので、指の間の乾燥効果を高めることができ、乾燥時間を短縮することができる。
【００１３】
次に、図９を用いて本実施例による手乾燥装置の設置状態について説明する。
図９は同装置をトイレ内に設置した状態を示す斜視図である。
本実施例による手乾燥装置は、トイレ内の洗面台７０の側方の壁面に設置されている。通常洗面台７０の上面７１は、床面から６２０ｍｍから８６０ｍｍ程度の高さであり、洗面台７０の上面７１が、乾燥室１０又は乾燥室１０とノズルカバー２０との間に形成される乾燥空間内に位置するように設置される。
【００１４】
本実施例によれば、乾燥室１０又は乾燥空間内に洗面台７０の上面７１が位置するように手乾燥装置を設置しているので、腰を伸ばした状態で、肘を曲げて斜め下方に手を差し入れることで、子供から大人まで身長差に影響されることなく使用することができる。
【００１５】
以下、本発明の他の実施例による手乾燥装置について図面を用いて説明する。
図１０から図１８は、本実施例による手乾燥装置の他のノズルカバーを示すものである。なお、ノズルカバー以外の構成は、上記実施例と同様である。
図１０は本実施例によるノズルカバーの上面側から見た斜視図、図１１は同ノズルカバーの下面側から見た斜視図、図１２は同ノズルカバーの側面図、図１３は同ノズルカバーの側面断面図、図１４は同ノズルカバーの分解斜視図、図１５は同ノズルカバーの要部斜視図、図１６は同ノズルカバーの内部平面図、図１７は同ノズルカバーの断面図、図１８は同ノズルカバーの要部斜視図である。
【００１６】
本実施例によるノズルカバー２０は、図示しない乾燥室の開口部より上方に設けられる。従って、乾燥室の開口部とノズルカバー２０との間にも乾燥空間を形成する。なお、本実施例においても、乾燥室の開口部より上方には、ノズルカバー２０以外は設けない。そして、ノズルカバー２０は、乾燥室の背面側から前面側に延出させて設けている。また、ノズルカバー２０は、既に説明した実施例と同様に、鉛直方向から見たときに開口部の全面を覆わないように、開口部より小さく形成している。すなわち、鉛直方向から見たときに、ノズルカバー２０の両側と前面側は、開口部が開放されている。
まず、図１０に示すように、ノズルカバー２０の上面は平坦面とし、上面の前面側位置にインジケータ２１を設けている。このインジケータ２１は、乾燥時間の目安を表示するものである。
【００１７】
また、図１１に示すように、ノズル部６０は複数の長孔によって構成され、長孔から噴出される風速は約９０ｍ／ｓから１２０ｍ／ｓ程度のジェット流である。
長孔６１Ａ及び長孔６１Ｂは、ノズルカバー２０の前面側の位置に、手挿入方向に対して垂直な方向に形成している。長孔６１Ａと長孔６１Ｂとは、所定間隔空けて直線上に設けている。なお、長孔６１Ａと長孔６１Ｂとは、直線上ではなく、背面側に広がった「ハの字」状に設けてもよい。ここで、長孔６１Ａ及び長孔６１Ｂは、第１のノズル部を構成する。
長孔６８Ａ及び長孔６９Ａは、長孔６１Ａよりも背面側の位置に形成している。長孔６８Ａ及び長孔６９Ａは、前面側端部よりも後方側端部をノズルカバー２０の中心側に配置して形成している。また、長孔６９Ａは、長孔６８Ａよりも更に背面側の位置に形成している。長孔６８Ａと長孔６９Ａとは、所定間隔空けて平行に設けている。
長孔６８Ｂ及び長孔６９Ｂは、長孔６１Ｂよりも背面側の位置に形成している。長孔６８Ｂ及び長孔６９Ｂは、前面側端部よりも後方側端部をノズルカバー２０の中心側に配置して形成している。また、長孔６９Ｂは、長孔６８Ｂよりも更に背面側の位置に形成している。長孔６８Ｂと長孔６９Ｂとは、所定間隔空けて平行に設けている。
ここで、長孔６８Ａ、長孔６９Ａ、長孔６８Ｂ、及び長孔６９Ｂは、第２のノズル部を構成する。
本実施例によれば、後方側ではノズルカバーの中心より吹き出し風量が多くなるため、手挿入後に手揉みによる乾燥効果を高めることができる。
なお、第１のノズル部と第２のノズル部との間には、感度センサー２２を設けている。
また、第１のノズル部と第２のノズル部の更に奥に、第３のノズル部を設けることが好ましい。第３のノズル部を更に設けることにより、濡れた手を挿入した際、手全体に一度に気流が当たり、水滴を同時に吹き飛ばすため、手を動かすこともなく、むらなく、かつ短時間で乾燥することができる。
【００１８】
また、図１１及び図１２に示すように、ノズル部６０は突出面２３を設けている。
この突出面２３は、ノズルカバー２０の下面であって、ノズルカバー２０の外周よりも内方に形成している。突出面２３は、前面側に傾斜面２３ｆを、側面側に傾斜面２３ｓを、後面側に傾斜面２３ｂを備え、これら傾斜面２３ｆ、２３ｓ、２３ｂによってノズルカバー２０の下面外周部と連接している。
本実施例によれば、ノズルカバー２０の外周側を薄く、ノズルカバー２０の中心部を厚く構成することで、設置時にノズルカバー２０が薄く見え、ノズルカバー２０による圧迫感を少なくし、乾燥室を広く感じさせることができる。また、ノズルカバー２０の中心部を厚く構成することで、ノズル部６０に至る通風路空間を確保できるので、長孔６１Ａ、長孔６１Ｂ、長孔６８Ａ、長孔６９Ａ、長孔６８Ｂ、及び長孔６９Ｂからの均一な吹き出し風量を確保することができる。更に、突出面２３の前面と側面では外周部からノズル部６０への空気の流れを形成しやすく、一方突出面２３の後面では乾燥室内からノズル部６０への空気の流れを形成しやすくなる。
また、図１２に示すように、ノズル部６０は、突出面２３からの突出長さを異にしている。
すなわち、ノズルカバー２０の最前面側に位置する長孔６１よりも、後面側に位置する長孔６８の突出長さを大きく、長孔６８よりも長孔６９の突出長さを大きくしている。このように、第２のノズル部の突出長さを、第１のノズル部の突出長さよりも大きくし、更に第２のノズル部の中でも、長孔６８よりも長孔６９の突出長さを大きくすることで、後方側の吹き出し空気の到達距離を高めることができる。例えば、長孔６１の突出長さを１とした場合に、長孔６８の突出長さを２倍、長孔６９の突出長さを３倍に構成することで、後面側における風圧効果を高めることができる。
【００１９】
また、図１２及び図１３に示すように、長孔６８及び長孔６９は、垂直方向を吹き出し方向としているが、長孔６１は垂直方向から後面側に約１０度傾けた吹き出し方向としている。本実施例のように、最前面側に位置する長孔６１の吹き出し方向を後面側に傾けることで、長孔６８及び長孔６９から乾燥室に吹き出された空気は、長孔６１からの空気の吹き出しによって乾燥室の後面側から上昇する流れを誘発することができ、乾燥室内からの空気の定常的な流出を促すことができ、不規則な空気の流出によって生じる騒音を防止することができる。また、乾燥室の後面側から上昇する空気の流れとすることで、突出面２３の傾斜面２３ｂからノズル部６０に循環する空気の流れを発生させることができる。従って、特に温風を利用した場合には、空気の循環によって温風感を高めるとともに、乾燥効果を高めることができる。
【００２０】
また、図１３に示すように、ノズル部６０の吸入側には、金網やパンチングメタルなどの整流板２４を設けている。この整流板２４によって、乱流を少なくし、ノズル部６０からの吹き出し空気の到達距離を長くすることができると共に、騒音の低減を図ることができる。
また、図１４に示すように、上面側ノズルカバー２０Ａと下面側ノズルカバー２０Ｂとの間には、ダクトカバー２５を設けている。図１３に示すように、通風路１５０Ａは、ダクトカバー２５の下面に形成される。また、ダクトカバー２５の前方側上面には、ＬＥＤ基盤２６やディスプレイカバー２７を配置する空間を形成する。
図１５に示すように、ＬＥＤ基盤２６とディスプレイカバー２７は、ダクトカバー２５に固定される。ＬＥＤ基盤２６とディスプレイカバー２７とは所定間隔をあけて対向して設けられている。
図１６に示すように、ＬＥＤ基盤２６のディスプレイカバー２７に対向する面には、複数のＬＥＤ２６Ａが配置されている。また、それぞれのＬＥＤ２６Ａの間には、遮蔽板２６Ｂを設けることで、それぞれのＬＥＤ２６Ａの光を区分している。
図１７に示すように、ディスプレイカバー２７はプリズムを構成しており、このプリズムのＬＥＤ基盤２６側の面は、ダイヤモンドカット２７Ａが施され、入射光を散乱させることで、面発光の効果を高めている。
ダクトカバー２５の上面側には、格子状の補強リブ２５Ａが形成されている。また、ダクトカバー２５の外周部には複数の接合部２５Ｂが、ダクトカバー２５の中心部には接合部２５Ｃが形成されている。
【００２１】
図１８に示すように、下面側ノズルカバー２０Ｂの上面側には通風路１５０Ａが形成される。この通風路１５０Ａは、下面側ノズルカバー２０Ｂの外周部に設けた二重構造の壁面１５０Ｂによって構成される。下面側ノズルカバー２０Ｂの前面側に位置する壁面１５０Ｂは、下面側ノズルカバー２０Ｂの中心に延出させて延出部１５０Ｃを構成している。この延出部１５０Ｃは、長孔６１Ａと長孔６１Ｂとの間、長孔６９Ａと長孔６９Ｂとの間に形成されている。また、この延出部１５０Ｃによって通風路１５０Ｃと隔離された空間に、感度センサー用開口部２２Ａを形成している。壁面１５０Ｂの外周部には、ダクトカバー２５の接合部２５Ｂと対応する複数の接合部２０Ｃが設けられている。また、延出部１５０Ｃによって通風路１５０Ｃと隔離された空間には、ダクトカバー２５の接合部２５Ｃと対応する接合部２０Ｄが設けられている。ダクトカバー２５は、これらの接合部２５Ｂ、２５Ｃ、２０Ｃ、２０Ｄによって下面側ノズルカバー２０Ｂに固定される。ここで、感度センサー２２が真中に位置しているのは、人が最初に乾燥室１０に手を挿入するときには手を真中に寄せる習性があり、手が乾いてくるとそれを確認等するために真中で手もみを行なうケースが多いためである。また、ノズルカバー部２０には高圧の空気が入ると、上面側ノズルカバー２０Ａと下面側ノズルカバー２０Ｂの接合部が圧力により開き、空気が漏れることのないように中央の接合部２０Ｄをネジにて固定して接合強度を保っている。
【００２２】
本実施例のように、ＬＥＤ２６Ａをノズルカバー２０の前端部に配置してプリズムを構成するディスプレイカバー２７を利用してノズルカバー２０上面のインジケータ２１を面発光させることで、ノズルカバー２０を薄く構成することができるとともにＬＥＤ２６Ａとインジケータ２１との距離を十分に確保することができる。つまり、下面側ノズルカバー２０Ｂの上に基板、ＬＥＤ、プリズムを重ねていく場合に比べ、ＬＥＤ付き基板を横向きに配置し、その横にプリズムを４５度に配置する構成により、ＬＥＤの光の方向を横から縦方向に変えてインジケータ２１を発光させるため、基板、ＬＥＤ、プリズムは横方向に広がるが、縦方向は薄くできるためである。
【００２３】
以下、本発明の他の実施例による手乾燥装置について図面を用いて説明する。
図１９から図２２は、本実施例による手乾燥装置の他の外観形状を示すものである。なお、上記実施例で説明したノズルカバーの構成を適用することもできる。
図１９は本発明の一実施例による手乾燥装置の分解斜視図、図２０は同装置の乾燥室の正面図、図２１は同乾燥室の側面図、図２２は同乾燥室の上面図である。
本実施例による手乾燥装置は、装置本体の上部に乾燥室１０を形成している。乾燥室１０は、背面側から前面側に向かって下方に傾斜した外縁部１１によって開口部１２が形成され、この開口部１２の下方に凹状の空間を形成している。乾燥室１０の開口部１２より上方には板状のノズルカバー（図示せず）が設けられ、開口部１２とノズルカバーとの間にも乾燥空間を形成している。なお、乾燥室１０の開口部１２より上方には、ノズルカバー以外は設けない。ノズルカバーは、乾燥室１０の背面側から前面側に延出させて設けている。ノズルカバーは、鉛直方向から見たときに開口部１２の全面を覆わないように、開口部１２より小さく形成する。すなわち、鉛直方向から見たときに、ノズルカバーの両側と前面側は、開口部１２が開放される。
【００２４】
図１９に示すように、本実施例による手乾燥装置は、ファンモータ５１を背面側本体ケース４０Ｂに設け、ファンモータ５１及びフィルターユニット８０の前面側を前面側本体ケース４０Ａで覆っている。前面側本体ケース４０Ａは、前面及び側面を覆い、上面と底面とが開放された構成となっている。また、前面側本体ケース４０Ａの更に前面側には、化粧パネル４５が着脱可能に設けられている。装置本体の最下部にはドレインタンク３０を設けている。ドレインタンク３０の上部にはプレフィルター３２が配置される。
乾燥室１０は、ファンモータ５１の上方であって、背面側本体ケース４０Ｂと前面側本体ケース４０Ａとによって形成される上部開口を覆うように配置される。また、乾燥室１０は、樹脂成形によって一体成形されたものを用いる。乾燥室１０の外縁部１１には、カバー１３を設けている。このカバー１３は、外縁部１１よりも幅広となっており、乾燥室１０内に突出する構成となっている。乾燥室１０の下面は、前方側を後方側よりも低くなるように形成し、水抜き孔１４を乾燥室下面の前方側に設けている。
【００２５】
本実施例によれば、背面側本体ケース４０Ｂと前面側本体ケース４０Ａとによって上部開口を形成し、この上部開口に乾燥室１０を設ける構成としたことで、乾燥室１０を一体成形することができ、継ぎ目などに発生しやすいカビや汚れを防止できる。また、本実施例によれば、設置状態において、水抜き孔１４が視界に入らないため、使用時の清潔感を高めることができる。
【００２６】
以下、本発明の他の実施例による手乾燥装置について図面を用いて説明する。本実施例による手乾燥装置は、本体ケースに設けた通風路の構成を特徴としているため、通風路に関する構成について図面を用いて説明するが、他の構成については上記実施例で説明した構成を適用できるものであり、ここでの説明は省略する。また、すでに説明した構成については同一番号を付して説明を一部省略する。
図２３は本実施例による手乾燥装置の本体ケース内の構成を示す正面図、図２４は同装置の通風路の方向を説明するための構成図、図２５は同装置のフィルターユニットに至る通風路を示す一部破断斜視図、図２６は同装置のフィルターユニット内の通風路を示す断面図、図２７は同装置のフィルターユニットからファンモータユニットに至る通風路を示す一部破断斜視図、図２８は同装置のファンモータユニット内の通風路を示す断面図、図２９は同装置のファンモータユニットの構成を示す分解斜視図、図３０は同装置のファンモータユニットからノズル部に至る通風路を示す側面断面図、図３１は同装置のファンモータユニットからノズル部に至る通風路を示す正面図である。
図２３に示すように、本実施例の手乾燥装置は、ファンモータ５１を有するファンモータユニット５０と、ファンモータユニット５０の上流側に配置されるフィルターユニット８０と、これらファンモータユニット５０やフィルターユニット８０を背面側本体ケース４０Ｂに固定することでファンモータユニット５０やフィルターユニット８０を本体ケース４０内に備えている。なお、ファンモータユニット５０及びフィルターユニット８０の前面側は前面側本体ケースで覆われる。この前面側本体ケースの下部にはドレインタンク３０が設けられている。フィルターユニット８０は、ドレインタンク３０の上方に配置されている。フィルターユニット８０に有する集塵フィルター８１は、フィルターケース８１Ａに収納されており、フィルターケース８１Ａは、ドレインタンク３０側から脱着可能に設けている。なお、フィルターケース８１Ａは、図２５に示すように化粧ネジ８１Ｂによってフィルターユニット８０に結合されている。また、ドレインタンク３０とフィルターユニット８０との間には、集塵フィルター８１よりも大きい塵埃を捕集するプレフィルター３２が配置されている。また、本体ケース４０の下面には本体ケース吸込口１０１を設けている。また、フィルターユニット８０内には集塵フィルター８１を有するとともに、この集塵フィルター８１の上流側にはフィルターユニット吸込口８２を、集塵フィルター８１の下流側にはフィルターユニット吹出口８３をそれぞれ形成している。また、ファンモータユニット５０内にはファンモータ５１を有し、ファンモータユニット吸込口５２を形成している。ここで、ファンモータ５１は、背面側本体ケース４０Ｂに垂直な方向を回転軸とし、反時計回り（図示の矢印Ａ）に回転させる。なお、本実施例においては、フィルターユニット吹出口８３とファンモータユニット吸込口５２とを直接連接している。
【００２７】
以下に図２３から図２７を用いて、本体ケース吸込口１０１からファンモータユニット吸込口５２に至る通風路について説明する。
本体ケース吸込口１０１から吸い込まれた空気は、通風路１１１に沿って上方（Ｙ軸のプラス方向）に流れ、そして通風路１１２に沿って側方（Ｘ軸のマイナス方向）に流れ、そして通風路１１３に沿って再び上方（Ｙ軸のプラス方向）に流れ、そして通風路１１４に沿って側方（Ｘ軸のプラス方向）に流れることで、フィルターユニット吸込口８２に至る。なお、これらの通風路１１１〜１１４は、必ずしも所定断面の通風路として構成されている必要はなく、図示のようにドレインタンク３０の背面側空間やフィルターユニット８０の周囲空間を利用した空気の流れでもよく、このような空間を利用した場合には、空気の主な流れが発生する空間を通風路とすることができる。
フィルターユニット吸込口８２に到達した空気は、フィルターユニット８０内において、まず通風路１２１に沿って下方（Ｙ軸のマイナス方向）に流れ、そして通風路１２２に沿って前方（Ｚ軸のプラス方向）に流れ、そして通風路１２３に沿って側方（Ｘ軸のプラス方向）に流れ、そして通風路１２４に沿って側方に向かって徐々に後方（Ｘ軸のプラス方向でＺ軸のマイナス方向）に流れ、そして通風路１２５に沿って上方（Ｙ軸のプラス方向）に流れ、そして通風路１２６に沿って前方（Ｚ軸のプラス方向）に流れることで、フィルターユニット吹出口８３に至る。
なお、図２３に示す緩衝材２０１、図２６に示す緩衝材２０２は、上流側の通風路から流入する空気が下流側の通風路に衝突する位置の内壁面に設けられ、騒音を緩衝、吸音する。また、図示はしないが、他の通風路の屈折部にも同様に緩衝材を設けることで騒音の低減を図ることができる。
【００２８】
本実施例によれば、本体ケース吸込口１０１の吸込方向と、フィルターユニット吸込口８２の吸込方向とを異ならせることで、本体ケース吸込口１０１からフィルターユニット吸込口８２に至る通風路１１１〜１１４が直線上とならず、かならず曲がりを有することになるので、ファンモータ５１で発生する騒音が本体ケース吸込口１０１から外部に伝搬することを少なくすることができる。
特に、本実施例のように、本体ケース吸込口１０１の吸込方向と、フィルターユニット吸込口８２の吸込方向とを対向する方向とすることで、本体ケース吸込口１０１からフィルターユニット吸込口８２に至る通風路が、複数回の曲がりによって、少なくとも１８０度の曲がりを有することになるので、ファンモータ５１で発生する騒音が本体ケース吸込口１０１から外部に伝搬することをさらに少なくすることができる。
なお、本体ケース吸込口１０１の吸込方向と、ファンモータユニット吸込口５２の吸込方向との関係においても、本体ケース吸込口１０１の吸込方向と、フィルターユニット吸込口８２の吸込方向と同様の作用効果を奏する。
また、本体ケース吸込口１０１からフィルターユニット吸込口８２までの通風路１１１〜１２６において、たとえばＸ軸−Ｙ軸によって形成される平面以外の方向に通風路を形成することで、さらにファンモータ５１の騒音の伝搬を少なくすることができる。本実施例においては、本体ケース吸込口１０１からフィルターユニット吸込口８２までの通風路１１１〜１１４は、Ｘ軸−Ｙ軸によって形成される平面内において複数回の屈折部を形成した場合を説明したが、Ｘ軸−Ｙ軸によって形成される平面以外の方向に通風路を形成することで、さらにファンモータ５１の騒音の伝搬を少なくすることができる。
【００２９】
次に図２８と図２９を用いて、ファンモータユニット５０の構成について説明する。
ファンモータユニット５０は、ファンモータ５１と、その外周の一部に密着させる防振材５４と、防振材５４とともにファンモータ５１を挟み込む、蓋体５５及びケーシング５６とを備えている。なお、蓋体５５はファンモータ５１の吸入側を覆い、ケーシング５６はファンモータ５１の吹出側を覆うことで、蓋体５５の内部には吸入空間１３０を、ケーシング５６の内部には吐出空間１４０を形成している。ケーシング５６の裏面側、すなわち背面側本体ケース４０Ｂ側には、円形状の防振板５７Ａが配置される。ファンモータ５１と防振板５７Ａとの間には、吸音材５７Ｂが配置される。また、ケーシング５６と背面側本体ケース４０Ｂとは、防振材５７Ｃを介して取り付けられる。
吸入空間１３０は、ファンモータユニット吸込口５２とファンモータ吸込口５３との間に、ファンモータユニット吸込口５２の通路断面積よりも広い空間として形成されている。この吸入空間１３０を形成する蓋体５５は、略中心部にファンモータ吸込口５３を、一側方にファンモータユニット吸込口５２をそれぞれ設けた構成となっている。さらにこの吸入空間１３０を、ファンモータ吸入口５３よりもファンモータユニット吸入口５２側に形成される第１の吸入空間１３０Ａと、ファンモータ吸入口５３よりもファンモータユニット吸入口５２と対向する側に形成される第２の吸入空間１３０Ｂとに区分した場合に、第１の吸入空間１３０Ａが第２の吸入空間１３０Ｂよりも大きくなるように傾斜面５５Ａを設けている。このように、第１の吸入空間１３０Ａを第２の吸入空間１３０Ｂよりも大きくすることで、ファンモータ５１への吸込流れをスムーズにすることで騒音の発生を少なくするとともに、ファンモータ５１の性能低下を防止することができる。
また、ファンモータユニット吸込口５２の入口開口断面は、吸入空間１３０につながる出口開口断面よりも広く構成してあり、この入口開口から出口開口に至る段差部５２Ｒ、５４Ｒを曲面で構成している。このように、ファンモータユニット吸込口５２の入口開口から出口開口に至る段差部５２Ｒ、５４Ｒを曲面形状とすることによって、空気の乱流を防止でき、空気流れをスムーズにすることで騒音の発生を少なくするとともに、ファンモータ５１の性能低下を防止することができる。
【００３０】
次に、このファンモータユニット５０内での空気の流れについて説明する。
フィルターユニット吹出口８３に到達した空気、すなわちファンモータユニット吸入口５２に到達した空気は、ファンモータユニット５０内において、まず通風路１３１に沿って側方（Ｘ軸のマイナス方向）に流れ、そして通風路１３２に沿って後方（Ｚ軸のマイナス方向）に流れることで、ファンモータ吸込口５３に吸い込まれる。
そしてファンモータ５１から吐出された空気は、ファンモータユニット５０内において、まず通風路１４１に沿って後方（Ｚ軸のマイナス方向）に流れ、そして通風路１４２に沿って側方（Ｘ軸のマイナス方向）に流れることで、ファンモータユニット吹出口５８から吹き出される。
【００３１】
本実施例によれば、ファンモータユニット吸込口５２に連続する通風路１２６を、ファンモータ５１の回転軸と平行としているので、通風路１３２を流れる空気と通風路１２６を流れる空気とは対向する流れとなり、１８０度の曲がりを有することになるので、ファンモータで発生する騒音が本体ケース吸込口から外部に伝搬することを少なくすることができる。
なお、ファンモータユニット吸込口５２に連続する通風路１２６をなくし、通風路１２５をファンモータユニット吸込口５２に連続する通風路とすれば、ファンモータユニット吸込口５２に連続する通風路１２５の空気の流れ方向は、ファンモータ５１の回転方向（反時計回り）と同じ方向となり、ファンモータ５１に吸い込まれる空気流れをスムーズにすることで騒音の発生を少なくするとともに、ファンモータ５１の性能低下を防止することができる。
【００３２】
以下に図３０から図３１を用いて、ファンモータユニット吹出口５８からノズル部６０の噴出口に至る通風路について説明する。
ファンモータユニット吹出口５８から吐出された空気は、ヒーター９１を通過し通風路１５１に沿って上方（Ｙ軸のプラス方向）に流れ、そして遮音壁２１１、２１２を有する通風路１５２を経由し、さらに通風路１５３に沿って上方（Ｙ軸のプラス方向）に流れ、その後通風路１５４に沿って前方（Ｚ軸のプラス方向）に流れることで、ノズル部６０に至り、ノズル部６０内の通風路に沿って下方（Ｙ軸のマイナス方向）に流れて噴出される。
ここで、遮音壁２１１は一方の内壁面４０Ｃに設けられ、遮音壁２１２は他方の内壁面４０Ｄに設けられている。一方の内壁面４０Ｃと他方の内壁面４０Ｄとは互いに対向する壁面である。また、一方の内壁面４０Ｃに設けた遮音壁２１１と他方の内壁面４０Ｄとの間には空気の流れる空間１５２Ａが形成され、他方の内壁面４０Ｄに設けた遮音壁２１２と一方の内壁面４０Ｃとの間には空気の流れる空間１５２Ｂが形成されている。また、遮音壁２１１の側部には、遮音壁２１１を迂回して空気が流れる空間１５２Ｃが形成され、遮音壁２１２の側部には、遮音壁２１２を迂回して空気が流れる空間１５２Ｄが形成されている。また、一方の内壁面４０Ｃに設けた遮音壁２１１の高さ寸法は、他方の内壁面４０Ｄに設けた遮音壁２１２と一方の内壁面４０Ｃとの間の空間１５２Ｂの寸法よりも大きくし、他方の内壁面４０Ｄに設けた遮音壁２１２の高さ寸法は、一方の内壁面４０Ｃに設けた遮音壁２１１と他方の内壁面４０Ｄとの間の空間１５２Ａの寸法よりも大きくしている。なお、遮音壁２１１、２１２の上流側の壁面には緩衝材を設けることが好ましい。
【００３３】
本実施例によれば、ファンモータユニット吹出口５８からノズル部６０の噴出口までの通風路を、通風路を構成するノズル部６０の空気流れと対向する空気流れとなる他の通風路１５１、１５３を少なくとも有することで、ファンモータユニット吹出口５８からノズル部６０の噴出口に至る通風路が１８０度の曲がりを有することになるので、ファンモータ５１で発生する騒音がノズル部６０の噴出口から外部に伝搬することを少なくすることができる。
また本実施例によれば、ファンモータユニット吹出口５８からノズル部６０の噴出口までの通風路１５２の内壁面４０Ｃ、４０Ｄに、空気流れを変更する遮音壁２１１、２１２を設けたことで、この遮音壁２１１、２１２によって異なる方向への通風路が実質的に形成され、ファンモータ５１で発生する騒音が通風路１５０内を伝搬することを防止でき、ノズル部６０から外部に騒音が伝搬することをさらに少なくすることができる。また、遮音壁２１１、２１２の上流側の壁面に緩衝材を設けることで、騒音の伝搬をさらに防止することができる。
また本実施例によれば、遮音壁２１１と内壁面４０Ｄとの間には空気の流れる空間１５２Ａが、遮音壁２１２と内壁面４０Ｃとの間には空気の流れる空間１５２Ｂが形成されているので、この遮音壁２１１、２１２によってファンモータ５１で発生する騒音が通風路１５０内を伝搬することを防止できるとともに、空間１５２Ａ、１５２Ｂによって空気流れの抵抗を少なくしてノズル部６０からの噴流速度の低下を少なくすることができる。
また、本実施例によれば、遮音壁２１１、２１２によって側方（Ｘ軸の方向）に向かう流れが発生するため、ファンモータユニット吹出口５８からノズル部６０の噴出口までの通風路を、互いに直交するＸ軸、Ｙ軸、Ｚ軸方向の通風路として構成することができ、ファンモータ５１で発生する騒音がノズル部６０から外部に伝搬することをさらに少なくすることができる。
【００３４】
以下、本発明の他の実施例による手乾燥装置について図面を用いて説明する。本実施例による手乾燥装置は、上記実施例で説明した本体ケース吸込口１０１に代えて本体ケース４０の上部側面に本体ケース吸込口１０２を設けたものである。なお、上記実施例と同一の構成については同一番号を付して説明を省略する。
図３２は本実施例による手乾燥装置の本体ケース内の構成を示す正面図である。
本体ケース吸込口１０２から吸い込まれた空気は、通風路１６１に沿って側方（Ｘ軸のプラス方向）に流れ、そして通風路１６２に沿って下方（Ｙ軸のマイナス方向）に流れ、さらにファンモータユニット５０の側方に構成された通風路１６３に沿って下方（Ｙ軸のマイナス方向）に流れることで、フィルターユニット吸込口８２に至る。なお、これらの通風路１６１〜１６３は、必ずしも所定断面の通風路として構成されている必要はなく、図示のように通風路５０やファンモータユニット５０の側面側空間を利用した空気の流れでもよく、このような空間を利用した場合には、空気の主な流れが発生する空間を通風路とすることができる。
本実施例においても、本体ケース吸込口１０２の吸込方向と、フィルターユニット吸込口８２の吸込方向とを異ならせることで、本体ケース吸込口１０２からフィルターユニット吸込口８２に至る通風路１６１〜１６３が直線上とならず、かならず曲がりを有することになるので、ファンモータ５１で発生する騒音が本体ケース吸込口１０２から外部に伝搬することを少なくすることができる。
また、本体ケース吸込口１０２の吸込方向（Ｘ軸のプラス方向）と、ファンモータユニット吸込口５２の吸込方向（Ｘ軸のマイナス方向）とは、対向する方向となるため、本体ケース吸込口１０２からファンモータユニット吸込口５２に至る通風路が１８０度の曲がりを有することになるので、ファンモータ５１で発生する騒音が本体ケース吸込口１０２から外部に伝搬することをさらに少なくすることができる。
【００３５】
以下、本発明の他の実施例による手乾燥装置について図面を用いて説明する。
図３３は本実施例による手乾燥装置の設置状態を示す斜視図、図３４は同装置の要部を説明するための構成図である。
図３３に示すように、本実施例による手乾燥装置の乾燥室１０は、水平な外縁部１１によって開口部１２が形成され、この開口部１２の下方に凹状の空間を形成している。乾燥室１０の開口部１２より上方にはノズルカバー２０が設けられ、開口部１２とノズルカバー２０との間にも乾燥空間を形成している。なお、乾燥室１０の開口部１２より上方には、ノズルカバー２０以外は設けていない。このノズルカバー２０は、通風路１５０を形成する連接部２３によって乾燥室１０の上方に配置され、乾燥室１０の背面側から前面側に延出させて設けている。
また図３４に示すように、本実施例による手乾燥装置の乾燥室１０は、逆円錐形状の部材によって、装置本体に対して着脱自在に構成され、乾燥室１０の底部にドレインタンク３０が形成される。乾燥室１０の下部には、パンチングメタルなど、複数の孔を形成した底板３１を着脱可能に設け、ドレインタンク３０がこの底板３１の下部空間に形成される。
【００３６】
本実施例によれば、乾燥室１０を逆円錐形状の部材によって構成し、装置本体に対して着脱自在に構成することで、乾燥室１０を装置本体から取り外して洗面台にて清掃やドレイン水の排水処理を行うことができる。
本実施例による手乾燥装置は、外縁部１１が洗面台７０の上面７１と同一の高さとなるように設置している。
本実施例によれば、腰を伸ばした状態で、肘を曲げて斜め下方に手を差し入れることで、子供から大人まで身長差に影響されることなく使用することができる。
なお、上記実施例におけるノズル部６０には、メッシュや細線などで構成される整流格子を設けていることが好ましい。そして、集塵フィルター８１としては、この整流格子よりも小さい粒径の粉塵を除去するフィルターを用いることが好ましい。
【産業上の利用可能性】
【００３７】
本発明の手乾燥装置は、レストランやホテルなどの洗面所やトイレに設置され、また病院の手術室や調理場において利用される。
【図面の簡単な説明】
【００３８】
【図１】本発明の一実施例による手乾燥装置の斜視図
【図２】同装置の正面図
【図３】同装置の側面図
【図４】同装置の上面図
【図５】同装置から乾燥室及びフロントケースを取り外した状態の斜視図
【図６】同状態の正面図
【図７】同状態の側断面図
【図８】同装置のノズルカバーの下面図
【図９】同装置をトイレ内に設置した状態を示す斜視図
【図１０】本発明の一実施例によるノズルカバーの上面側から見た斜視図
【図１１】同ノズルカバーの下面側から見た斜視図
【図１２】同ノズルカバーの側面図
【図１３】同ノズルカバーの側面断面図
【図１４】同ノズルカバーの分解斜視図
【図１５】同ノズルカバーの要部斜視図
【図１６】同ノズルカバーの内部平面図
【図１７】同ノズルカバーの断面図
【図１８】ノズルカバーの要部斜視図
【図１９】本発明の一実施例による手乾燥装置の分解斜視図
【図２０】同装置の乾燥室の正面図
【図２１】同乾燥室の側面図
【図２２】同乾燥室の上面図
【図２３】本発明の一実施例による手乾燥装置の本体ケース内の構成を示す正面図
【図２４】同装置の通風路の方向を説明するための構成図
【図２５】同装置のフィルターユニットに至る通風路を示す一部破断斜視図
【図２６】同装置のフィルターユニット内の通風路を示す断面図
【図２７】同装置のフィルターユニットからファンモータユニットに至る通風路を示す一部破断斜視図
【図２８】同装置のファンモータユニット内の通風路を示す断面図
【図２９】同装置のファンモータユニットの構成を示す分解斜視図
【図３０】同装置のファンモータユニットからノズル部に至る通風路を示す側面断面図
【図３１】同装置のファンモータユニットからノズル部に至る通風路を示す正面図
【図３２】本発明の一実施例による手乾燥装置の本体ケース内の構成を示す正面図
【図３３】本発明の一実施例による手乾燥装置の設置状態を示す斜視図
【図３４】同装置の要部を説明するための構成図
【符号の説明】
【００３９】
１０    乾燥室
１２    開口部
２０    ノズルカバー
２１    インジケータ
３０    ドレインタンク
５１    ファンモータ
６０    ノズル部
８１    ＨＥＰＡフィルター
１１０    空気導入通路
１５０    通風路
【図１】
2006095246.tif 000003
【図２】
2006095246.tif 000004
【図３】
2006095246.tif 000005
【図４】
2006095246.tif 000006
【図５】
2006095246.tif 000007
【図６】
2006095246.tif 000008
【図７】
2006095246.tif 000009
【図８】
2006095246.tif 000010
【図９】
2006095246.tif 000011
【図１０】
2006095246.tif 000012
【図１１】
2006095246.tif 000013
【図１２】
2006095246.tif 000014
【図１３】
2006095246.tif 000015
【図１４】
2006095246.tif 000016
【図１５】
2006095246.tif 000017
【図１６】
2006095246.tif 000018
【図１７】
2006095246.tif 000019
【図１８】
2006095246.tif 000020
【図１９】
2006095246.tif 000021
【図２０】
2006095246.tif 000022
【図２１】
2006095246.tif 000023
【図２２】
2006095246.tif 000024
【図２３】
2006095246.tif 000025
【図２４】
2006095246.tif 000026
【図２５】
2006095246.tif 000027
【図２６】
2006095246.tif 000028
【図２７】
2006095246.tif 000029
【図２８】
2006095246.tif 000030
【図２９】
2006095246.tif 000031
【図３０】
2006095246.tif 000032
【図３１】
2006095246.tif 000033
【図３２】
2006095246.tif 000034
【図３３】
2006095246.tif 000035
【図３４】
2006095246.tif 000036